(57)【要約】【課題】液晶表示装置のアナログ駆動回路を統合して、これら駆動回路をデジタル映像信号プロセッサーとＥＥＰＲＯＭで発生するコントロール信号によってコントロールすることで、持続的に表示される画面品質を向上させる。【解決手段】ガンマー回路部、共通回路部、インバーター制御部を含むアナログ駆動回路と、前記アナログ駆動回路の駆動に必要なアナログ電圧を供給するためのデジタルアナログコンバータ部と、前記デジタルアナログコンバータ部にデジタル信号を供給するためのデジタルインタフェース部と、前記デジタルインタフェース部にデジタル制御信号を供給するデジタル映像処理部が含まれて構成される。【選択図】図３
2005196160.tif 000002
【特許請求の範囲】
【請求項１】
入力されるデジタル映像信号を分析して、分析された映像データがどのような画質に向上させるのに適用されるのかを決定して、所定の制御信号を生成するデジタルシグナルプロセッサー（ＤＳＰ）と、
前記ＤＳＰと連結されて、前記ＤＳＰで生成された多様な制御信号にあたる信号を貯蔵しているＥＥＰＲＯＭと、
前記ＤＳＰまたはＥＥＰＲＯＭから所定の制御信号が入力されるデジタルインタフェース部と、
前記デジタルインタフェースを通じて入力される前記所定の制御信号をアナログ制御信号に変換させるデジタルアナログコンバータ部と、
前記デジタルアナログコンバータ部から所定のアナログ制御信号が入力されるガンマー回路、共通電圧回路、インバーター制御機を含んだアナログ駆動回路が含まれることを特徴とする液晶表示装置の駆動回路。
【請求項２】
前記画質には明るさ(brightness)が含まれることを特徴とする請求項１に記載の液晶表示装置の駆動回路。
【請求項３】
前記画質に明暗比(contrast ratio)が含まれることを特徴とする請求に１に記載の液晶表示装置の駆動回路。
【請求項４】
前記ガンマー回路、共通電圧回路、インバーター制御機及びデジタルアナログコンバータと、デジタルインタフェース部が単一チップに具備されることを特徴とする請求項１に記載の液晶表示装置の駆動回路。
【請求項５】
前記単一チップ上にＤＳＰ及びＥＥＰＲＯＭが追加されて具備されることを特徴とする請求項４に記載の液晶表示装置の駆動回路。
【請求項６】
ガンマー回路部、共通回路部、インバーター制御部を含むアナログ駆動回路等と、
前記アナログ駆動回路の駆動に必要なアナログ電圧を供給するためのデジタルアナログコンバータ部と、
前記デジタルアナログコンバータ部にデジタル信号を供給するためのデジタルインタフェース部と、
前記デジタルインタフェース部にデジタル制御信号を供給するデジタル映像処理部が含まれて構成されることを特徴とする液晶表示装置の駆動回路。
【請求項７】
前記アナログ駆動回路と、デジタルアナログコンバータと、デジタルインタフェース部が単一チップに具備されることを特徴とする請求項６に記載の液晶表示装置の駆動回路。
【請求項８】
多様な制御信号値等を予め決めて貯蔵するＥＥＰＲＯＭがさらに含まれて、前記ＥＥＰＲＯＭに貯蔵された制御信号は各フレームの映像に対する分析値が予めプログラム化されて貯蔵されたことを特徴とする請求項６に記載の液晶表示装置の駆動回路。
【請求項９】
前記デジタルインタフェース部から前記デジタル／アナログコンバータ部に送信されるデジタル制御信号はアナログ制御信号に変換され前記ガンマー回路のバッファー部に直接入力されることを特徴とする請求項６に記載の液晶表示装置の駆動回路。
【請求項１０】
前記デジタル／アナログコンバータ部からデジタル制御信号でアナログ制御信号に変換された信号は前記共通回路のバッファー部に直接入力されることを特徴とする請求項６に記載の液晶表示装置の駆動回路。
【請求項１１】
前記デジタル／アナログコンバータ部からデジタル制御信号でアナログ制御信号に変換された信号は前記インバーター制御機に直接入力されることを特徴とする請求項６に記載の液晶表示装置の駆動回路。
【請求項１２】
入力するデジタル映像信号を分析して、前記分析された映像データがどのような画質を向上させるのに適用されるのかを決定して、それによる所定の制御信号がＤＳＰによって生成する段階と、
前記ＤＳＰと連結されて、前記ＤＳＰで生成された多様な制御信号にあたる信号がＥＥＰＲＯＭに貯蔵される段階と、
前記ＤＳＰまたはＥＥＰＲＯＭから所定の制御信号を入力されてこれをアナログ制御信号に変換される段階と、
前記所定のアナログ制御信号が液晶表示装置に共通電圧を提供する共通電圧回路に提供される段階が含まれることを特徴とする液晶表示装置の駆動方法。
【請求項１３】
前記ＥＥＰＲＯＭに前記所定の画質に向上させるための特定制御信号値が貯蔵されているかを確認する段階と、
前記確認結果ＥＥＰＲＯＭに貯蔵されていない場合ＤＳＰで前記特定制御信号を生成して送る段階が含まれることを特徴とする請求項１２に記載の液晶表示装置の駆動方法。
【請求項１４】
前記所定のアナログ制御信号が液晶表示装置インバーターを駆動する制御信号としてインバーター制御機に提供される段階がより含まれることを特徴とする請求項１２に記載の液晶表示装置の駆動方法。
【請求項１５】
入力されるデジタル映像信号を分析して、前記分析された映像データがどんな画質に向上させるのに適用されるのかを決定して、それによる所定の制御信号がＤＳＰによって生成する段階と、
前記ＤＳＰと連結されて、前記ＤＳＰで生成された多様な制御信号にあたる信号がＥＥＰＲＯＭに貯蔵される段階と、
前記ＤＳＰまたはＥＥＰＲＯＭから所定の制御信号を入力してこれをアナログ制御信号に変換される段階と、
前記所定のアナログ制御信号がガンマー回路、共通電圧回路、インバーター制御機の中である一つに提供される段階が含まれることを特徴とする液晶表示装置の駆動方法。
【請求項１６】
前記ＥＥＰＲＯＭに前記所定の画質を向上させるための特定制御信号値が貯蔵されているかを確認する段階と、
前記確認の結果ＥＥＰＲＯＭに貯蔵されていない場合ＤＳＰで前記特定制御信号を生成して送る段階が含まれることを特徴とする請求項１５に記載の液晶表示装置の駆動方法。
【請求項１７】
前記画質には明るさ(brightness)が含まれることを特徴とする請求項１５に記載の液晶表示装置の駆動方法。
【請求項１８】
前記画質には明暗比(contrast ratio)が含まれることを特徴とする請求項１５に記載の液晶表示装置の駆動方法。
【請求項１９】
前記ガンマー回路、共通電圧回路、インバーター制御機及びデジタルアナログコンバータと、デジタルインタフェース部が単一チップに具備される段階がより含まれることを特徴とする請求項１５に記載の液晶表示装置の駆動方法。
【請求項２０】
前記単一チップ上にＤＳＰ及びＥＥＰＲＯＭが追加され具備される段階がより含まれることを特徴とする請求項１９に記載の液晶表示装置の駆動方法。
【発明の詳細な説明】
【技術分野】
【０００１】
本発明は液晶表示装置に関するもので、特にアナログ駆動回路部分を統合してこれを単一チップに具備する液晶表示装置の駆動回路及び駆動方法に関するものである。
【背景技術】
【０００２】
最近、急速な発展を繰り返している半導体産業の技術によって、液晶表示装置は、小型化、軽量化されつつ、その性能がより良好なものが生産されている。
【０００３】
現在に至るまで情報ディスプレー装置として広く使われているＣＲＴ(cathode ray tube)は性能や価格側面で多くの長所を持っているが、小型化または携帯性の側面では多くの短所を持っていた。
【０００４】
これに反して、液晶表示装置は、小型化、軽量化、低電力消費化等の長所を持ち、ＣＲＴの短所を克服できる代替手段として次第に注目されて来ており、現在、ディスプレー装置を要するものすべての情報処理機器に装着されているのが実状である。
【０００５】
このような液晶表示装置は、一般的に、液晶の特定な分子配列に電圧を印加して他の分子配列に変換させて、そのような分子配列によって発光する液晶セルの複屈折性、旋光性、２色性及び光散乱特性等の光学的性質の変化を視覚的な変化に変換することで、液晶セルによる光の変造を利用したディスプレー装置である。
【０００６】
そして、最近の映像媒体は、視聴者に高解像度の画像を伝送する目的で、既存のアナログ映像信号の代わりに情報の圧縮が容易なデジタル映像信号で伝送する方式に転換されている。
【０００７】
これに従い、液晶表示装置も既存のアナログ映像信号の代わりにデジタル映像信号によって駆動されることができなければならない。そのために、液晶表示装置の駆動回路はアナログ信号を要求する液晶パネルの画素を駆動するのに適合するように入力デジタル映像信号をアナログ信号で変換して液晶パネルに供給している。
【０００８】
図１は、一般的に使われる液晶表示装置のモジュールを概略的に図示したブロック図である。図１に図示されたように、液晶表示装置のモジュール１は、大きく分けて、アナログ映像信号をデジタル映像信号に変換するデジタルビデオカード１０と、前記デジタルビデオカード１０からデジタル映像信号を受けてコントロールする制御部１１と、前記制御部１１からコントロールされたスキャニング信号が印加され液晶パネル２０のスイチング素子であるＴＦＴをオン／オフ（ＯＮ／ＯＦＦ）させるゲートドライバー１２と、前記制御部１１からコントロールされたデータ信号が印加されて液晶パネル２０の画素領域に映像信号を印加するデータドライバー１３と、前記データドライバー１３に液晶の透過率を変化させるためのガンマー電圧を印加するガンマー回路１５で構成されている。
【０００９】
また、液晶表示装置モジュール１には、前記ガンマー回路１５とともにアナログ駆動回路部を構成する共通電圧（Vcom）回路４０と、インバーター制御機５０がより含まれている。なお、これらの構成については、図２を通じてより詳細に説明することにする。
【００１０】
前記のような構成を持つ液晶表示装置モジュール１において、まず、前記デジタルビデオカード１０からデジタル映像信号が前記制御部１１に伝送される。前記制御部１１では、デジタル映像信号を同期化して、前記液晶パネル２０のデータラインに前記同期化されたデジタル映像信号が印加されることができるようにこれを変換した後データドライバー１３に伝逹する。
【００１１】
また、前記制御部１１では、前記デジタル映像信号を液晶パネル２０でディスプレーする時、データラインと連結れているＴＦＴをオン／オフ（ＯＮ／ＯＦＦ）させるためのスキャニング信号を前記ゲートドライバー１２に伝逹する。
【００１２】
その後、前記データドライバー１３では、前記制御部１１から伝逹されたデジタル映像信号をアナログ信号に変換して液晶パネル２０に形成されている複数個のデータラインに順次伝送するようになる。
【００１３】
前記デジタル映像信号をアナログ信号で変換する時、前記ガンマー回路１５では、液晶の透過率を調節するためのガンマー電圧を印加する。即ち、前記ガンマー回路１５で供給するガンマー電圧は、内部の抵抗ネットワークによって多数の階調電圧に分配されて、前記分配された階調電圧が前記デジタル映像信号と対応して最終的にアナログ信号としてそれぞれのデータラインに出力される。
【００１４】
また、前記ゲートドライバー１２では、前記液晶パネル２０上に形成されている複数個のゲートラインにスキャニング信号を順次印加してスイチング素子をターンオン（Turn On）させたりターンオフ（Turn Off）させる役割をする。これによって前記データラインから伝逹する映像信号はそれぞれの画素領域に伝逹される。
【００１５】
図２は、従来技術による液晶表示装置のアナログ駆動回路部３１を図示した回路図である。図２に図示されたように、従来の液晶表示装置モジュールに使用されるアナログ駆動回路部３１には、ガンマー回路１５、液晶パネルに共通基準電圧を印加する共通電圧（Ｖｃｏｍ）回路４０、インバーターを制御するインバーター制御機５０を有し、これらはそれぞれ独立的に構成されている。
【００１６】
前記ガンマー回路１５は、図示されたように、複数個の固定抵抗（Ｒ１、Ｒ２、・・・、Ｒｎ）が直列に連結されていて、前記固定抵抗（Ｒ１、 Ｒ２、・・・、Ｒｎ）により分圧された電圧はそれぞれＯＰアンプで構成されたバッファー３５に供給される。前記バッファー３５の出力端ではこれらの電圧を再び分圧することができるように抵抗が連結されていて、これらからそれぞれのガンマー電圧を出力する。
【００１７】
また、前記Ｖｃｏｍ回路４０は、図示されたように、複数個の固定抵抗（Ｒ１０１、Ｒ１０２、・・・）と、可変抵抗ＶＲ１が直列に連結されていて、これらから電圧が分圧された後にＯＰアンプで構成されているバッファー４５に伝逹する。前記バッファー４５の出力端では液晶パネルに合うＶｃｏｍ電圧を出力するようになる。
【００１８】
そして、インバーター制御機５０もアナログ電圧が印加されて内部に構成された抵抗等によって液晶表示装置のインバーターを制御のためのコントロール信号を発生させるために変換過程を経る。
【００１９】
前記のガンマー回路１５、Ｖｃｏｍ回路４０及びインバーター制御機５０は液晶表示装置モジュールからそれぞれ独立的に構成されている。
【００２０】
しかし、前記のように従来技術による液晶表示装置アナログ駆動回路は、それぞれ個別に構成されていて液晶表示装置のモジュールに多くの嵩を占め、それぞれを独立的に製造しなければならないので製造単価が上がる問題がある。また、アナログ電圧を固定抵抗を利用して分圧した後、希望する電圧を発生させるためプログラマブルに電圧を発生させることができないだけでなく、デジタル映像信号を処理するプロセッサーで前記のようなアナログ回路をコントロールすることができないという短所がある。
【発明の開示】
【発明が解決しようとする課題】
【００２１】
本発明は、液晶表示装置のアナログ駆動回路を統合して、これら駆動回路をデジタル映像信号プロセッサー（ＤＳＰ）とＥＥＰＲＯＭで発生するコントロール信号によってコントロールすることで、持続的に表示される表示することができ画面品質を向上させることができる液晶表示装置の駆動回路及び駆動方法を提供することにその目的がある。
【００２２】
また、前記アナログ駆動回路ブロックを単一チップに具備して統合することで、プログラマブルにシステムをコントロールすることができ、また単一チップに具現することができてシステム構成を単純化することができる液晶表示装置の駆動回路及び駆動方法を提供することにその目的がある。
【課題を解決するための手段】
【００２３】
前記目的を果たすために、本発明による液晶表示装置の駆動回路は、入力されるデジタル映像信号を分析して、分析された映像データがどのような画質に向上させるのに適用されるのかを決定して、所定の制御信号を生成するデジタルシグナルプロセッサー（ＤＳＰ）と、前記ＤＳＰと連結されて、前記ＤＳＰで生成された多様な制御信号に該当する信号を貯蔵しているＥＥＰＲＯＭと、前記ＤＳＰまたはＥＥＰＲＯＭから所定の制御信号を入力するデジタルインタフェース部と、前記デジタルインタフェースを通じて入力される前記所定の制御信号をアナログ制御信号に変換させるデジタルアナログコンバータ部と、前記デジタルアナログコンバータ部から所定のアナログ制御信号を入力するガンマー回路、共通電圧（Vcom）回路、インバーター制御機を含んだアナログ駆動回路が含まれることを特徴にする。
【００２４】
また、本発明による液晶表示装置の駆動方法は、入力されるデジタル映像信号を分析して、前記分析された映像データがどのような画質に向上させるのに適用されるのかを決定して、それによる所定の制御信号がＤＳＰによって生成する段階と、前記ＤＳＰと連結されて、前記ＤＳＰで生成された多様な制御信号等にあたる信号等がＥＥＰＲＯＭに貯蔵される段階と、前記ＤＳＰまたはＥＥＰＲＯＭから所定の制御信号を入力してこれをアナログ制御信号に変換される段階と、前記所定のアナログ制御信号がガンマー回路、共通電圧回路、インバーター制御機の中である一つに提供される段階が含まれることを特徴とする。
【発明の効果】
【００２５】
本発明は液晶表示装置のアナログ駆動回路部を統合し、これら駆動回路部をデジタル映像信号プロセッサー（ＤＳＰ）とＥＥＰＲＯＭで発生するコントロール信号によってコントロールして持続的に表示される画面品質を向上させることができる効果がある。
【発明を実施するための最良の形態】
【００２６】
以下、添付した図面に基づいて本発明の望ましい実施の形態を詳細に説明する。図３は、本発明による液晶表示装置のアナログ駆動回路部１００を図示したブロック図である。図３を参照すれば、本発明によってアナログ駆動回路が統合されたアナログ駆動回路部１００の構成は次のとおりである。本発明による液晶表示装置のアナログ駆動回路部１００は、液晶表示装置のガンマー回路１０５と、液晶パネルに共通基準電圧を印加するＶｃｏｍ回路１０７と、インバーター制御のためのコントロール信号を発生させるインバーター制御機１０９と、前記ガンマー回路１０５、Ｖｃｏｍ回路１０７及びインバーター制御機１０９にアナログコントロール信号を印加するデジタル／アナログコンバータ部１０３と、前記デジタル／アナログコンバータ部１０３にデジタルコントロール信号を印加するためのデジタルインタフェース部１０１で構成されている。
【００２７】
そして、本発明では、従来技術では独立的に構成されたガンマー回路１０５、Ｖｃｏｍ回路１０７、インバーター制御機１０９及び前記デジタル／アナログコンバータ部１０３とデジタルインタフェース部１０１を一つのチップ上に統合して形成することを特徴とする。
【００２８】
また、前記デジタルインタフェース部１０１と連結されるデジタル映像プロセッサー（以下ＤＳＰと称す）２００及びＥＥＰＲＯＭ３００もまた図３に図示されたように一つのチップ上に統合して形成されることができる。
【００２９】
本発明による液晶表示装置のアナログ駆動回路部１００の作動を説明すれば、先ず、ＤＳＰ２００は、入力端子２０１からデジタル映像信号を入力する。この時、前記ＤＳＰの入力端子２０１は、図１に図示されたデジタルビデオカード１０または制御部１１に具備されるとか、または制御部１１とデータ駆動回路１３間に具備されることができる。
【００３０】
前記ＤＳＰ２００は、フレーム単位で前記デジタル映像信号を分析して、分析された映像データがどのような画質品質（image quality）（例：明るさ（brightness）、明暗比（contrast ratio）等）を向上されるのに適用されるのかを決定して、それによる所定の制御信号を生成する。
【００３１】
また、ＥＥＰＲＯＭ３００は、前記ＤＳＰ２００で生成された多様な制御信号を基準値（default value）で貯蔵している。
【００３２】
ここで、前記デジタル／アナログコンバータ部１０３は、デジタルインタフェース部１０１を通じて前記ＤＳＰ２００とＥＥＰＲＯＭ３００から液晶パネルで表示される表示される映像を各フレーム毎分析して、より良質の画質品質（例：明るさ（brightness）、明暗比（contrast ratio）等）を提供するための制御信号を印加して、前記ガンマー回路１０５、Ｖｃｏｍ回路１０７、インバーター制御機１０９にこのようにコントロールされたアナログ信号を供給して画質品質を改善させる。
【００３３】
言い替えれば、前記ＤＳＰ２００で分析した各フレームの映像データを基準に制御信号を発生させて、前記制御信号は前記デジタルインタフェース部１０１を通じて前記デジタル／アナログコンバータ部１０３に伝送され、前記デジタル／アナログコンバータ部１０３は、これをアナログ信号に変換して前記ガンマー回路１０５、Ｖｃｏｍ回路１０７、インバーター制御機１０９に直接伝送して液晶パネルを駆動させる。
【００３４】
従って、前記ＤＳＰ２００は、各フレーム毎分析された映像データを基準に暗い画面が表示されていたら、前記デジタル／アナログコンバータ部１０３にバックライトの明るさを調節できる所定の制御信号を伝逹し、前記デジタル／アナログコンバータ部１０３は、この信号をアナログ形態で変換して前記インバーター制御機１０９に供給した後、液晶パネルのバックライトの明るさを調節する。
【００３５】
同様にして、前記ＤＳＰ２００で液晶パネルで表示されている画面中に色に関する調節が必要だと判断されれば、前記ＤＳＰ２００は、ガンマー電圧を変化させる制御信号を前記デジタルインタフェース部１０１を通じて前記デジタル／アナログコンバータ部１０３に印加する。
【００３６】
これにより、前記デジタル／アナログコンバータ部１０３では、これをアナログ信号に変えた後、前記ガンマー回路１０５に印加し、前記ガンマー回路１０５では、直接アナログ信号を液晶パネルに印加することで、画面品質を改善する。
【００３７】
従って、前記アナログ駆動回路部１００に構成されている前記ガンマー回路１０５には、従来ガンマー回路で印加されるアナログ電圧を分圧させるための複数個の固定抵抗を配置しなくても良い。
前記ＤＳＰ２００から所定の制御信号が印加された前記デジタル／アナログコンバータ部１０３はアナログ信号に変換した後、前記ガンマー回路１０５のＯＰアンプで構成されているバッファー部１０５ａを通じて液晶パネルに伝逹する。
【００３８】
それゆえ、本発明は、従来技術のようにガンマー回路１０５にアナログ電圧が印加されれば直列に連結された固定抵抗によって電圧が分配され前記ガンマー回路-１０５のバッファー部１０５ａに印加されないで、前記ＤＳＰ２００ですべての電圧をコントロールした後に前記デジタル／アナログコンバータ部１０３からアナログ電圧に変換した後、直接ガンマー回路１０５のバッファー部１０５ａに印加する。
【００３９】
そのため、前記ガンマー回路１０５の構成がバッファー部１０５ａとプリント出力端だけで構成されていて、従来のような直列固定抵抗等で構成された回路を除去して回路構成を単純化できる。
【００４０】
前記アナログ駆動回路部１００に配置されている前記Ｖｃｏｍ回路１０７も前記ガンマー回路１０５で処理されるような方式で処理される。例えば、前記ＤＳＰ２００）でＶｃｏｍ調節信号をデジタル信号形態で前記デジタル／アナログコンバータ部１０３に伝送すれば、前記デジタル／アナログコンバータ部１０３ではこれを前記Ｖｃｏｍ回路１０７に印加するアナログ電圧に変換する。
【００４１】
前記Ｖｃｏｍ回路１０７では、前記デジタル／アナログコンバータ部１０３で伝逹を受けたＶｃｏｍ制御信号を液晶パネルに印加することで、表示される画面の品質を改善する。
【００４２】
これにより、従来技術のようなＶｃｏｍ回路１０７の入力端に配置されていた固定抵抗と可変抵抗の直列連結回路を、本発明では不必要になり前記Ｖｃｏｍ回路１０７の構成を単純化させることができる。即ち、前記Ｖｃｏｍ回路１０７に印加されるアナログ電圧が従来では前記Ｖｃｏｍ回路１０７内に配置されている直列抵抗と可変抵抗によって基準電圧発生のための電圧分配がなされたが、しかし、本発明では、前記ＤＳＰ２００で前記Ｖｃｏｍ回路１０７に入力されるアナログ電圧をデジタル信号に処理した後、前記アナログ統合部１００のデジタルインタフェース部１０１を通じて前記デジタル／アナログコンバータ部１０３からアナログ電圧に変換した後、前記Ｖｃｏｍ回路１０７のバッファー部１０７ａに印加するようにした。
【００４３】
また、前記ＥＥＰＲＯＭ３００は、多様な制御信号値を予め決定して（default）貯蔵しておくことで、ＤＳＰ２００で全ての画像に対する分析データを基準にそれによる必要な信号をＤＳＰ２００で発生するようにしないで前記ＥＥＰＲＯＭ３００に貯蔵された制御信号を使って前記デジタル／アナログコンバータ部１０３に印加することができるようになる。
【００４４】
このため、本発明では、アナログ駆動回路部１００のＤＳＰ２００で持続的に表示される画像を分析してこれに対する制御信号をガンマー回路１０５、Ｖｃｏｍ回路１０７及びインバーター制御機１０９に印加するようにするから、最適の画像を表示することができる。
【００４５】
同時に、前記ＤＳＰ２００で画面を分析して制御信号を発生させるため、よりプログラマブルに制御することができる。
【００４６】
そして、アナログ回路を統合したアナログ駆動回路部１００内にデジタル／アナログコンバータ部１０３を配置することで、ＤＳＰ２００で処理したデジタル信号によって容易にアナログ回路をコントロールすることができ、なによりも単一チップ上にアナログ回路を具備することで製造費用を減らすことができる。
【００４７】
本発明は、前記した実施の形態に限定されなく、請求の範囲で請求する本発明の要旨に外れることがなく当該発明が属する分野で通常の知識を持った者ならば誰でも多様な変更実施が可能なはずである。
品質
【図面の簡単な説明】
【００４８】
【図１】一般的に使われる液晶表示装置のモジュールを図示したブロック図。
【図２】従来技術による液晶表示装置のアナログ駆動回路部を図示した回路図。
【図３】本発明による液晶表示装置のアナログ駆動回路部を図示したブロック図。
【符号の説明】
【００４９】
１００  アナログ駆動回路部、１０１  デジタルインタフェース部、１０３  ＤＡＣ、１０５  ガンマ−回路、１０７  共通電圧（Ｖｃｏｍ）回路、１０９  インバーター制御機、２００  ＤＳＰ、２０１  入力端子、３００  ＥＥＰＲＯＭ。
【図１】
2005196160.tif 000003
【図２】
2005196160.tif 000004
【図３】
2005196160.tif 000005